(57)【要約】【課題】３つ以上の周波数バンドを用いて行われるＣＡにおいて、移動局ＵＥがギャップ無しで異周波測定を行うことができるか否かについて適切に判断する。【解決手段】本発明に係る移動局ＵＥは、無線基地局ｅＮＢに対して、移動局ＵＥの能力を示す「ＵＥ  Ｃａｐａｂｉｌｉｔｙ」を送信するように構成されている送信部１１を具備しており、送信部１１は、「ＵＥ  Ｃａｐａｂｉｌｉｔｙ」として、「ＣＡ  ｂａｎｄ  ｃｏｍｂｉｎａｔｉｏｎ」ごとに、ギャップ無しで異周波測定が可能な周波数バンドを通知するように構成されている。【選択図】図３
2015029189.tif 000002
【特許請求の範囲】
【請求項１】
移動局であって、
無線基地局に対して、前記移動局の能力を示す能力情報を送信するように構成されている送信部を具備しており、
前記送信部は、前記能力情報として、２つ以上の周波数バンドの組み合わせごとに、ギャップ無しで異周波測定が可能な周波数バンドを通知するように構成されていることを特徴とする移動局。
【請求項２】
無線基地局であって、
移動局のキャリアアグリゲーションに係る制御を行うように構成されているキャリアアグリゲーション制御部と、
前記移動局から、該移動局の能力を示す能力情報として、２つ以上の周波数バンドの組み合わせごとにギャップ無しで異周波測定が可能な周波数バンドを示す情報要素を受信するように構成されている受信部とを具備しており、
前記キャリアアグリゲーション制御部は、前記情報要素に基づいて、３つ以上の周波数バンドを用いて行われるキャリアアグリゲーションにおいて前記移動局がギャップ無しで異周波測定を行うことができるか否かについて判断するように構成されていることを特徴とする無線基地局。
【請求項３】
無線基地局であって、
移動局のキャリアアグリゲーションに係る制御を行うように構成されているキャリアアグリゲーション制御部と、
前記移動局から、該移動局の能力を示す能力情報として、２つの周波数バンドの組み合わせごとにギャップ無しで異周波測定が可能であるか否かについて示す情報要素を受信するように構成されている受信部とを具備しており、
前記情報要素が、３つ以上の周波数バンドのうちのそれぞれ２つの周波数バンドの組み合わせの全てにおいてギャップ無しで異周波測定が可能であると示す場合に、前記キャリアアグリゲーション制御部は、該３つ以上の周波数バンドを用いて行われるキャリアアグリゲーションにおいて前記移動局がギャップ無しで異周波測定を行うことができると判断するように構成されていることを特徴とする無線基地局。
【請求項４】
移動局のキャリアアグリゲーションに係る制御を行うように構成されているキャリアアグリゲーション制御部と、
前記移動局から、該移動局の能力を示す能力情報として、２つの周波数バンドの組み合わせごとにギャップ無しで異周波測定が可能であるか否かについて示す情報要素を受信するように構成されている受信部とを具備しており、
前記情報要素が、３つ以上の周波数バンドのうちのプライマリコンポーネントキャリアが含まれる周波数バンド及びセカンダリコンポーネントキャリアが含まれる周波数バンドの組み合わせの全てにおいてギャップ無しで異周波測定が可能であると示す場合に、前記キャリアアグリゲーション制御部は、該３つ以上の周波数バンドを用いて行われるキャリアアグリゲーションにおいて前記移動局がギャップ無しで異周波測定を行うことができると判断するように構成されていることを特徴とする無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式において、「ＣＡ  ｂａｎｄ  ｃｏｍｂｉｎａｔｉｏｎ」を解釈可能な移動局ＵＥは、無線基地局ｅＮＢに対して、「ＵＥ  Ｃａｐａｂｉｌｉｔｙ」として、「ＣＡ  ｂａｎｄ  ｃｏｍｂｉｎａｔｉｏｎ」ごとにギャップ無しで異周波測定（Ｉｎｔｅｒ-ｆｒｅｑｕｅｎｃｙ  ｍｅａｓｕｒｅｍｅｎｔ）が可能であるか否かについて示す情報要素「ｉｎｔｅｒＦｒｅｑＮｅｅｄＦｏｒＧａｐｓ」を送信するように構成されている。
【０００３】
例えば、上述の移動局ＵＥによって送信された情報要素「ｉｎｔｅｒＦｒｅｑＮｅｅｄＦｏｒＧａｐｓ」に「ｔｒｕｅ」と設定されている場合で、かつ、２ＧＨｚ帯の周波数バンド＃１及び１.５ＧＨｚ帯の周波数バンド＃２１を用いて行われるＣＡ（Ｃａｒｒｉｅｒ  Ａｇｇｒｅｇａｔｉｏｎ、キャリアアグリゲーション）において、周波数バンド＃１（又は、周波数バンド＃２１）に属するキャリアがＰＣＣ（Ｐｒｉｍａｒｙ  Ｃｏｍｐｏｎｅｎｔ  Ｃａｒｒｉｅｒ）に設定されている場合に、かかる移動局ＵＥは、ギャップ無しで周波数バンド＃２１（又は、周波数バンド＃１）に属するキャリアにおける測定を行うことができる。
【０００４】
例えば、移動局ＵＥに複数の無線回路が設けられており、周波数バンドごとに用いる無線回路が異なるように構成されている場合、移動局ＵＥは、ギャップ無しで異周波測定を行うことができる。
【先行技術文献】
【非特許文献】
【０００５】
【非特許文献１】３ＧＰＰ  ＴＳ３６.３３１
【発明の概要】
【発明が解決しようとする課題】
【０００６】
ここで、図７に示すように、移動局ＵＥに対して、８００ＭＨｚ帯の周波数バンド及び１.５ＧＨｚ帯の周波数バンドの組み合わせに対応する「ＣＡ  ｂａｎｄ  ｃｏｍｂｉｎａｔｉｏｎ」における情報要素「ｉｎｔｅｒＦｒｅｑＮｅｅｄＦｏｒＧａｐｓ」に「ｔｒｕｅ」と設定されており、８００ＭＨｚ帯の周波数バンド及び２ＧＨｚ帯の周波数バンドの組み合わせに対応する「ＣＡ  ｂａｎｄ  ｃｏｍｂｉｎａｔｉｏｎ」における情報要素「ｉｎｔｅｒＦｒｅｑＮｅｅｄＦｏｒＧａｐｓ」に「ｔｒｕｅ」と設定されており、１.５ＧＨｚ帯の周波数バンド及び２ＧＨｚ帯の周波数バンドの組み合わせに対応する「ＣＡ  ｂａｎｄ  ｃｏｍｂｉｎａｔｉｏｎ」における情報要素「ｉｎｔｅｒＦｒｅｑＮｅｅｄＦｏｒＧａｐｓ」に「ｔｒｕｅ」と設定されている場合には、無線基地局ｅＮＢは、８００ＭＨｚ帯の周波数バンド、１.５ＧＨｚ帯の周波数バンド及び２ＧＨｚ帯の周波数バンドを用いて行われるＣＡにおいて、移動局ＵＥがギャップ無しで異周波測定を行うことができると判断することができる。
【０００７】
しかしながら、図８に示すように、移動局ＵＥに対して、８００ＭＨｚ帯の周波数バンド及び１.５ＧＨｚ帯の周波数バンドの組み合わせに対応する「ＣＡ  ｂａｎｄ  ｃｏｍｂｉｎａｔｉｏｎ」における情報要素「ｉｎｔｅｒＦｒｅｑＮｅｅｄＦｏｒＧａｐｓ」に「ｔｒｕｅ」と設定されており、８００ＭＨｚ帯の周波数バンド及び２ＧＨｚ帯の周波数バンドの組み合わせに対応する「ＣＡ  ｂａｎｄ  ｃｏｍｂｉｎａｔｉｏｎ」における情報要素「ｉｎｔｅｒＦｒｅｑＮｅｅｄＦｏｒＧａｐｓ」に「ｔｒｕｅ」と設定されており、１.５ＧＨｚ帯の周波数バンド及び２ＧＨｚ帯の周波数バンドの組み合わせに対応する「ＣＡ  ｂａｎｄ  ｃｏｍｂｉｎａｔｉｏｎ」における情報要素「ｉｎｔｅｒＦｒｅｑＮｅｅｄＦｏｒＧａｐｓ」に「ｆａｌｓｅ」と設定されている場合には、無線基地局ｅＮＢは、８００ＭＨｚ帯の周波数バンド、１.５ＧＨｚ帯の周波数バンド及び２ＧＨｚ帯の周波数バンドを用いて行われるＣＡにおいて、移動局ＵＥがギャップ無しで異周波測定を行うことができるか否かについて、どのように判断すべきか分からないという問題点があった。
【０００８】
そこで、本発明は、上述の課題に鑑みてなされたものであり、３つ以上の周波数バンドを用いて行われるＣＡにおいて、移動局ＵＥがギャップ無しで異周波測定を行うことができるか否かについて適切に判断することができる移動局及び無線基地局を提供することを目的とする。
【課題を解決するための手段】
【０００９】
本発明の第１の特徴は、移動局であって、無線基地局に対して、前記移動局の能力を示す能力情報を送信するように構成されている送信部を具備しており、前記送信部は、前記能力情報として、２つ以上の周波数バンドの組み合わせごとに、ギャップ無しで異周波測定が可能な周波数バンドを通知するように構成されていることを要旨とする。
【００１０】
本発明の第２の特徴は、無線基地局であって、移動局のキャリアアグリゲーションに係る制御を行うように構成されているキャリアアグリゲーション制御部と、前記移動局から、該移動局の能力を示す能力情報として、２つ以上の周波数バンドの組み合わせごとにギャップ無しで異周波測定が可能な周波数バンドを示す情報要素を受信するように構成されている受信部とを具備しており、前記キャリアアグリゲーション制御部は、前記情報要素に基づいて、３つ以上の周波数バンドを用いて行われるキャリアアグリゲーションにおいて前記移動局がギャップ無しで異周波測定を行うことができるか否かについて判断するように構成されていることを要旨とする。
【００１１】
本発明の第３の特徴は、無線基地局であって、移動局のキャリアアグリゲーションに係る制御を行うように構成されているキャリアアグリゲーション制御部と、前記移動局から、該移動局の能力を示す能力情報として、２つの周波数バンドの組み合わせごとにギャップ無しで異周波測定が可能であるか否かについて示す情報要素を受信するように構成されている受信部とを具備しており、前記情報要素が、３つ以上の周波数バンドのうちのそれぞれ２つの周波数バンドの組み合わせの全てにおいてギャップ無しで異周波測定が可能であると示す場合に、前記キャリアアグリゲーション制御部は、該３つ以上の周波数バンドを用いて行われるキャリアアグリゲーションにおいて前記移動局がギャップ無しで異周波測定を行うことができると判断するように構成されていることを要旨とする。
【００１２】
本発明の第４の特徴は、無線基地局であって、移動局のキャリアアグリゲーションに係る制御を行うように構成されているキャリアアグリゲーション制御部と、前記移動局から、該移動局の能力を示す能力情報として、２つの周波数バンドの組み合わせごとにギャップ無しで異周波測定が可能であるか否かについて示す情報要素を受信するように構成されている受信部とを具備しており、前記情報要素が、３つ以上の周波数バンドのうちのプライマリコンポーネントキャリアが含まれる周波数バンド及びセカンダリコンポーネントキャリアが含まれる周波数バンドの組み合わせの全てにおいてギャップ無しで異周波測定が可能であると示す場合に、前記キャリアアグリゲーション制御部は、該３つ以上の周波数バンドを用いて行われるキャリアアグリゲーションにおいて前記移動局がギャップ無しで異周波測定を行うことができると判断するように構成されていることを要旨とする。
【発明の効果】
【００１３】
以上説明したように、本発明によれば、３つ以上の周波数バンドを用いて行われるＣＡにおいて、移動局ＵＥがギャップ無しで異周波測定を行うことができるか否かについて適切に判断することができる移動局及び無線基地局を提供することができる。
【図面の簡単な説明】
【００１４】
【図１】本発明の第１の実施形態に係る移動通信システムの全体構成図である。
【図２】本発明の第１の実施形態に係る移動局の機能ブロック図である。
【図３】本発明の第１の実施形態に係る移動局によって送信される情報要素「ＭｅａｓＰａｒａｍｅｔｅｒｓ-ｖ１２ｘｙ」のフォーマットの一例を示す図である。
【図４】本発明の第１の実施形態に係る移動局によって送信される情報要素「ＭｅａｓＰａｒａｍｅｔｅｒｓ-ｖ１２ｘｙ」内の情報要素「ＦｒｅｑＢａｎｄＩｎｄｉｃａｔｏｒ」のフォーマットの一例を示す図である。
【図５】本発明の第１の実施形態に係る無線基地局の機能ブロック図である。
【図６】本発明の第２の実施形態に係る移動局の機能ブロック図である。
【図７】従来技術を説明するための図である。
【図８】従来技術を説明するための図である。
【発明を実施するための形態】
【００１５】
（本発明の第１の実施形態に係る移動通信システム）
図１乃至図５を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１６】
図１に示すように、本実施形態に係る移動通信システムにおいて、無線基地局ｅＮＢは、８００ＭＨｚ帯の周波数バンドに属するキャリアが用いられるセルと、１.５ＧＨｚ帯の周波数バンドに属するキャリアが用いられるセルと、２ＧＨｚ帯の周波数バンドに属するキャリアが用いられるセルとを管理している。
【００１７】
また、移動局ＵＥ及び無線基地局ｅＮＢは、８００ＭＨｚ帯の周波数バンド、１.５ＧＨｚ帯の周波数バンド及び２ＧＨｚ帯の周波数バンドを用いてＣＡを行うことができるように構成されている。
【００１８】
すなわち、移動局ＵＥ及び無線基地局ｅＮＢは、８００ＭＨｚ帯の周波数バンドに属するキャリア、１.５ＧＨｚ帯の周波数バンドに属するキャリア及び２ＧＨｚ帯の周波数バンドに属するキャリアを用いてＣＡを行うことができるように構成されている。
【００１９】
図２に示すように、移動局ＵＥは、送信部１１と、受信部１２と、ＣＡ制御部１３とを具備している。
【００２０】
送信部１１は、無線基地局ｅＮＢに対して各種信号を送信するように構成されており、受信部１２は、無線基地局ｅＮＢから各種信号を受信するように構成されている。
【００２１】
例えば、送信部１１は、無線基地局ｅＮＢに対して、移動局ＵＥの能力を示す「ＵＥ  Ｃａｐａｂｉｌｉｔｙ」を送信するように構成されている。
【００２２】
ここで、送信部１１は、「ＵＥ  Ｃａｐａｂｉｌｉｔｙ」として、「ＣＡ  ｂａｎｄ  ｃｏｍｂｉｎａｔｉｏｎ」によって、２つの周波数バンドの組み合わせごとに、ギャップ無しで異周波測定が可能な周波数バンドを通知するように構成されている。
【００２３】
例えば、図３及び図４に示すように、送信部１１は、「ＵＥ  Ｃａｐａｂｉｌｉｔｙ」によって送信される情報要素「ＭｅａｓＰａｒａｍｅｔｅｒｓ-ｖ１２ｘｙ」内の情報要素「ＢａｎｄＣｏｍｂｉｎａｔｉｏｎＬｉｓｔＥＵＴＲＡ-ｒ１２」内の情報要素「ＢａｎｄＩｎｆｏｒＥＵＴＲＡ-ｒ１２」内の情報要素「ＦｒｅｑＢａｎｄＩｎｄｉｃａｔｏｒ」及び「ＦｒｅｑＢａｎｄＩｎｄｉｃａｔｏｒ-ｖ９ｅ０」によって、ＣＡで用いられる２つの周波数バンドの組み合わせごとに、ギャップ無しで異周波測定が可能な周波数バンドを通知するように構成されていてもよい。
【００２４】
例えば、図７に示すケースにおいて、送信部１１は、２ＧＨｚ帯の周波数バンド及び１.５ＧＨｚ帯の周波数バンドの組み合わせに対応する「ＣＡ  ｂａｎｄ  ｃｏｍｂｉｎａｔｉｏｎ」において、上述の情報要素「ＦｒｅｑＢａｎｄＩｎｄｉｃａｔｏｒ」（及び、「ＦｒｅｑＢａｎｄＩｎｄｉｃａｔｏｒ-ｖ９ｅ０」）によって、ギャップ無しで異周波測定が可能な周波数バンドとして、８００ＭＨｚ帯の周波数バンド及び３.５ＧＨｚ帯の周波数バンドを通知するように構成されていてもよい。
【００２５】
また、ＣＡ制御部１３は、移動局ＵＥによって行われるＣＡに係る制御を行うように構成されている。
【００２６】
図５に示すように、無線基地局ｅＮＢは、受信部２１と、送信部２２と、ＣＡ制御部２３とを具備している。
【００２７】
受信部２１は、移動局ＵＥから各種信号を受信するように構成されており、送信部２２は、移動局ＵＥに対して各種信号を送信するように構成されている。
【００２８】
例えば、受信部２１は、移動局ＵＥから、移動局ＵＥの能力を示す「ＵＥ  Ｃａｐａｂｉｌｉｔｙ」を受信するように構成されている。
【００２９】
ここで、受信部２１は、移動局ＵＥから、「ＵＥ  Ｃａｐａｂｉｌｉｔｙ」として、「ＣＡ  ｂａｎｄ  ｃｏｍｂｉｎａｔｉｏｎ」ごとにギャップ無しで異周波測定が可能な周波数バンドを示す情報要素「ＦｒｅｑＢａｎｄＩｎｄｉｃａｔｏｒ」及び「ＦｒｅｑＢａｎｄＩｎｄｉｃａｔｏｒ-ｖ９ｅ０」を受信するように構成されている。
【００３０】
また、ＣＡ制御部２３は、移動局ＵＥのＣＡに係る制御を行うように構成されている。
【００３１】
具体的には、ＣＡ制御部２３は、受信部２１によって受信された情報要素「ＦｒｅｑＢａｎｄＩｎｄｉｃａｔｏｒ」及び「ＦｒｅｑＢａｎｄＩｎｄｉｃａｔｏｒ-ｖ９ｅ０」に基づいて、３つ以上の周波数バンドを用いて行われるＣＡにおいて移動局ＵＥがギャップ無しで異周波測定を行うことができるか否かについて判断するように構成されている。
【００３２】
例えば、２ＧＨｚ帯の周波数バンド及び１.５ＧＨｚ帯の周波数バンドの組み合わせに対応する「ＣＡ  ｂａｎｄ  ｃｏｍｂｉｎａｔｉｏｎ」において、上述の情報要素「ＦｒｅｑＢａｎｄＩｎｄｉｃａｔｏｒ」（及び、「ＦｒｅｑＢａｎｄＩｎｄｉｃａｔｏｒ-ｖ９ｅ０」）が、ギャップ無しで異周波測定が可能な周波数バンドとして、８００ＭＨｚ帯の周波数バンド及び３.５ＧＨｚ帯の周波数バンドを通知している場合、ＣＡ制御部２３は、２ＧＨｚ帯の周波数バンド、１.５ＧＨｚ帯の周波数バンド及び８００ＭＨｚ帯の周波数バンドを用いて行われるＣＡにおいて移動局ＵＥがギャップ無しで異周波測定を行うことができると判断するように構成されていてもよい。
【００３３】
すなわち、３つ以上の周波数バンドを用いてＣＡが行われる場合、上述の情報要素「ＦｒｅｑＢａｎｄＩｎｄｉｃａｔｏｒ」（及び、「ＦｒｅｑＢａｎｄＩｎｄｉｃａｔｏｒ-ｖ９ｅ０」）が、かかる３つ以上の周波数バンドのうちの２つの周波数バンドの組み合わせにおいて、ギャップ無しで異周波測定が可能な周波数バンドとして、かかる３つ以上の周波数バンドの残りの全ての周波数バンドを通知している場合、ＣＡ制御部２３は、かかる３つ以上の周波数バンドを用いて行われるＣＡにおいて移動局ＵＥがギャップ無しで異周波測定を行うことができると判断するように構成されていてもよい。
【００３４】
一方、２ＧＨｚ帯の周波数バンド及び１.５ＧＨｚ帯の周波数バンドの組み合わせに対応する「ＣＡ  ｂａｎｄ  ｃｏｍｂｉｎａｔｉｏｎ」において、上述の情報要素「ＦｒｅｑＢａｎｄＩｎｄｉｃａｔｏｒ」（及び、「ＦｒｅｑＢａｎｄＩｎｄｉｃａｔｏｒ-ｖ９ｅ０」）が、ギャップ無しで異周波測定が可能な周波数バンドとして、８００ＭＨｚ帯の周波数バンドを通知していない場合、ＣＡ制御部２３は、２ＧＨｚ帯の周波数バンド、１.５ＧＨｚ帯の周波数バンド及び８００ＭＨｚ帯の周波数バンドを用いて行われるＣＡにおいて移動局ＵＥがギャップ無しで異周波測定を行うことができないと判断するように構成されていてもよい。
【００３５】
なお、ＣＡ制御部２３は、かかる判断結果に基づいて、移動局ＵＥが行うべき測定処理の方法について決定し、送信部２２は、移動局ＵＥに対して、かかる決定結果について通知するように構成されている。
【００３６】
以上に述べた本実施形態の特徴は、以下のように表現されていてもよい。
【００３７】
本実施形態の第１の特徴は、移動局ＵＥであって、無線基地局ｅＮＢに対して、移動局ＵＥの能力を示す「ＵＥ  Ｃａｐａｂｉｌｉｔｙ（能力情報）」を送信するように構成されている送信部１１を具備しており、送信部１１は、「ＵＥ  Ｃａｐａｂｉｌｉｔｙ」として、「ＣＡ  ｂａｎｄ  ｃｏｍｂｉｎａｔｉｏｎ（２つの周波数バンドの組み合わせ）」ごとに、ギャップ無しで異周波測定が可能な周波数バンドを通知するように構成されていることを要旨とする。
【００３８】
本実施形態の第２の特徴は、無線基地局ｅＮＢであって、移動局ＵＥのＣＡに係る制御を行うように構成されているＣＡ制御部２３と、移動局ＵＥから、「ＵＥ  Ｃａｐａｂｉｌｉｔｙ」として、「ＣＡ  ｂａｎｄ  ｃｏｍｂｉｎａｔｉｏｎ」ごとにギャップ無しで異周波測定が可能な周波数バンドを示す情報要素「ＦｒｅｑＢａｎｄＩｎｄｉｃａｔｏｒ」及び「ＦｒｅｑＢａｎｄＩｎｄｉｃａｔｏｒ-ｖ９ｅ０」を受信するように構成されている受信部２１とを具備しており、ＣＡ制御部２３は、情報要素「ＦｒｅｑＢａｎｄＩｎｄｉｃａｔｏｒ」及び「ＦｒｅｑＢａｎｄＩｎｄｉｃａｔｏｒ-ｖ９ｅ０」に基づいて、３つ以上の周波数バンドを用いて行われるＣＡにおいて移動局ＵＥがギャップ無しで異周波測定を行うことができるか否かについて判断するように構成されていることを要旨とする。
【００３９】
上述の特徴によれば、無線基地局ｅＮＢが、移動局ＵＥによって通知された情報要素「ＦｒｅｑＢａｎｄＩｎｄｉｃａｔｏｒ」及び「ＦｒｅｑＢａｎｄＩｎｄｉｃａｔｏｒ-ｖ９ｅ０」に基づいて、３つ以上の周波数バンドを用いて行われるＣＡにおいて移動局ＵＥがギャップ無しで異周波測定を行うことができるか否かについて適切に判断することができる。
【００４０】
（第２の実施形態に係る移動通信システム）
以下、本発明の第２の実施形態に係る移動通信システムについて、上述の第１の実施形態に係る移動通信システムとの相違点に着目して説明する。
【００４１】
移動局ＵＥの送信部１１は、「ＵＥ  Ｃａｐａｂｉｌｉｔｙ」として、「ＣＡ  ｂａｎｄ  ｃｏｍｂｉｎａｔｉｏｎ」ごとにギャップ無しで異周波測定が可能であるか否かについて示す情報要素「ＩｎｔｅｒＦｒｅｑＢａｎｄＩｎｆｏ（ｉｎｔｅｒＦｒｅｑＮｅｅｄＦｏｒＧａｐｓ）」を送信するように構成されている。
【００４２】
例えば、図６に示すように、送信部１１は、「ＵＥ  Ｃａｐａｂｉｌｉｔｙ」によって送信される情報要素「ＢａｎｄＣｏｍｂｉｎａｔｉｏｎＬｉｓｔＥＵＴＲＡ-ｒ１０」内の情報要素「ＢａｎｄＩｎｆｏｒＥＵＴＲＡ」内の情報要素「ＩｎｔｅｒＦｒｅｑＢａｎｄＬｉｓｔ」内の情報要素「ＩｎｔｅｒＦｒｅｑＢａｎｄＩｎｆｏ（ｉｎｔｅｒＦｒｅｑＮｅｅｄＦｏｒＧａｐｓ）」によって、ＣＡで用いられる２つの周波数バンドの組み合わせごとに、ギャップ無しで異周波測定が可能であるか否かについて通知するように構成されていてもよい。
【００４３】
無線基地局ｅＮＢのＣＡ制御部２３は、情報要素「ＩｎｔｅｒＦｒｅｑＢａｎｄＩｎｆｏ（ｉｎｔｅｒＦｒｅｑＮｅｅｄＦｏｒＧａｐｓ）」が、３つ以上の周波数バンドのうちのそれぞれ２つの周波数バンドの組み合わせの全てにおいてギャップ無しで異周波測定が可能であると示す場合に、かかる３つ以上の周波数バンドを用いて行われるＣＡにおいて移動局ＵＥがギャップ無しで異周波測定を行うことができると判断するように構成されている。
【００４４】
例えば、２ＧＨｚ帯の周波数バンド、１.５ＧＨｚ帯の周波数バンド及び８００ＭＨｚ帯の周波数バンドを用いてＣＡが行われるケースにおいて、情報要素「ＩｎｔｅｒＦｒｅｑＢａｎｄＩｎｆｏ（ｉｎｔｅｒＦｒｅｑＮｅｅｄＦｏｒＧａｐｓ）」が、３つ以上の周波数バンドのうちのそれぞれ２つの周波数バンドの組み合わせの全てにおいて、すなわち、２ＧＨｚ帯の周波数バンド及び１.５ＧＨｚ帯の周波数バンドの組み合わせ、２ＧＨｚ帯の周波数バンド及び８００ＭＨｚ帯の周波数バンドの組み合わせ、及び、１.５ＧＨｚ帯の周波数バンド及び８００ＭＨｚ帯の周波数バンドの組み合わせの全てにおいて、ギャップ無しで異周波測定が可能であると示す場合に、無線基地局ｅＮＢのＣＡ制御部２３は、かかる３つ以上の周波数バンドを用いて行われるＣＡ（２ＧＨｚ帯の周波数バンド、１.５ＧＨｚ帯の周波数バンド及び８００ＭＨｚ帯の周波数バンドを用いて行われるＣＡ）において移動局ＵＥがギャップ無しで異周波測定を行うことができると判断するように構成されている。
【００４５】
一方、２ＧＨｚ帯の周波数バンド、１.５ＧＨｚ帯の周波数バンド及び８００ＭＨｚ帯の周波数バンドを用いてＣＡが行われるケースにおいて、情報要素「ＩｎｔｅｒＦｒｅｑＢａｎｄＩｎｆｏ（ｉｎｔｅｒＦｒｅｑＮｅｅｄＦｏｒＧａｐｓ）」が、３つ以上の周波数バンドのうちの少なくとも１つの周波数バンドの組み合わせにおいて、すなわち、２ＧＨｚ帯の周波数バンド及び１.５ＧＨｚ帯の周波数バンドの組み合わせ、２ＧＨｚ帯の周波数バンド及び８００ＭＨｚ帯の周波数バンドの組み合わせ、或いは、１.５ＧＨｚ帯の周波数バンド及び８００ＭＨｚ帯の周波数バンドの組み合わせの少なくとも１つにおいて、ギャップ無しで異周波測定が可能でないと示す場合に、無線基地局ｅＮＢのＣＡ制御部２３は、かかる３つ以上の周波数バンドを用いて行われるＣＡ（２ＧＨｚ帯の周波数バンド、１.５ＧＨｚ帯の周波数バンド及び８００ＭＨｚ帯の周波数バンドを用いて行われるＣＡ）において移動局ＵＥがギャップ無しで異周波測定を行うことができないと判断するように構成されている。
【００４６】
なお、情報要素「ＩｎｔｅｒＦｒｅｑＢａｎｄＩｎｆｏ（ｉｎｔｅｒＦｒｅｑＮｅｅｄＦｏｒＧａｐｓ）」が、３つ以上の周波数バンドのうちのＰＣＣが含まれる周波数バンド及びＳＣＣが含まれる周波数バンドの組み合わせの全てにおいてギャップ無しで異周波測定が可能であると示す場合に、ＣＡ制御部２３は、かかる３つ以上の周波数バンドを用いて行われるＣＡにおいて移動局ＵＥがギャップ無しで異周波測定を行うことができると判断するように構成されていてもよい。
【００４７】
例えば、２ＧＨｚ帯の周波数バンド、１.５ＧＨｚ帯の周波数バンド及び８００ＭＨｚ帯の周波数バンドを用いてＣＡが行われるケースにおいて、ＰＣＣが、２ＧＨｚ帯の周波数バンドに属しているとすると、情報要素「ＩｎｔｅｒＦｒｅｑＢａｎｄＩｎｆｏ（ｉｎｔｅｒＦｒｅｑＮｅｅｄＦｏｒＧａｐｓ）」が、３つ以上の周波数バンドのうちのＰＣＣが含まれる周波数バンド及びＳＣＣが含まれる周波数バンドの組み合わせの全てにおいて、すなわち、２ＧＨｚ帯の周波数バンド及び１.５ＧＨｚ帯の周波数バンドの組み合わせ、及び、２ＧＨｚ帯の周波数バンド及び８００ＭＨｚ帯の周波数バンドの組み合わせの全てにおいて、ギャップ無しで異周波測定が可能であると示す場合に、無線基地局ｅＮＢのＣＡ制御部２３は、かかる３つ以上の周波数バンドを用いて行われるＣＡ（２ＧＨｚ帯の周波数バンド、１.５ＧＨｚ帯の周波数バンド及び８００ＭＨｚ帯の周波数バンドを用いて行われるＣＡ）において移動局ＵＥがギャップ無しで異周波測定を行うことができると判断するように構成されていてもよい。
【００４８】
すなわち、かかる場合、情報要素「ＩｎｔｅｒＦｒｅｑＢａｎｄＩｎｆｏ（ｉｎｔｅｒＦｒｅｑＮｅｅｄＦｏｒＧａｐｓ）」が、１.５ＧＨｚ帯の周波数バンド及び８００ＭＨｚ帯の周波数バンドの組み合わせにおいて、ギャップ無しで異周波測定が可能でないと示す場合であっても、無線基地局ｅＮＢのＣＡ制御部２３は、かかる３つ以上の周波数バンドを用いて行われるＣＡ（２ＧＨｚ帯の周波数バンド、１.５ＧＨｚ帯の周波数バンド及び８００ＭＨｚ帯の周波数バンドを用いて行われるＣＡ）において移動局ＵＥがギャップ無しで異周波測定を行うことができると判断するように構成されていてもよい。
【００４９】
一方、２ＧＨｚ帯の周波数バンド、１.５ＧＨｚ帯の周波数バンド及び８００ＭＨｚ帯の周波数バンドを用いてＣＡが行われるケースにおいて、ＰＣＣが、２ＧＨｚ帯の周波数バンドに属しているとすると、情報要素「ＩｎｔｅｒＦｒｅｑＢａｎｄＩｎｆｏ（ｉｎｔｅｒＦｒｅｑＮｅｅｄＦｏｒＧａｐｓ）」が、３つ以上の周波数バンドのうちのＰＣＣが含まれる周波数バンド及びＳＣＣが含まれる周波数バンドの組み合わせの少なくとも１つにおいて、すなわち、２ＧＨｚ帯の周波数バンド及び１.５ＧＨｚ帯の周波数バンドの組み合わせ、及び、２ＧＨｚ帯の周波数バンド及び８００ＭＨｚ帯の周波数バンドの組み合わせの少なくとも１つにおいて、ギャップ無しで異周波測定が可能でないと示す場合には、無線基地局ｅＮＢのＣＡ制御部２３は、かかる３つ以上の周波数バンドを用いて行われるＣＡ（２ＧＨｚ帯の周波数バンド、１.５ＧＨｚ帯の周波数バンド及び８００ＭＨｚ帯の周波数バンドを用いて行われるＣＡ）において移動局ＵＥがギャップ無しで異周波測定を行うことができないと判断するように構成されていてもよい。
【００５０】
以上に述べた本実施形態の特徴は、以下のように表現されていてもよい。
【００５１】
本実施形態の第１の特徴は、無線基地局ｅＮＢであって、移動局ＵＥのＣＡに係る制御を行うように構成されているＣＡ制御部２３と、移動局ＵＥから、「ＵＥ  Ｃａｐａｂｉｌｉｔｙ」として、「ＣＡ  ｂａｎｄ  ｃｏｍｂｉｎａｔｉｏｎ」ごとにギャップ無しで異周波測定が可能であるか否かについて示す情報要素「ＩｎｔｅｒＦｒｅｑＢａｎｄＩｎｆｏ（ｉｎｔｅｒＦｒｅｑＮｅｅｄＦｏｒＧａｐｓ）」を受信するように構成されている受信部２１とを具備しており、情報要素「ＩｎｔｅｒＦｒｅｑＢａｎｄＩｎｆｏ（ｉｎｔｅｒＦｒｅｑＮｅｅｄＦｏｒＧａｐｓ）」が、３つ以上の周波数バンドのうちのそれぞれ２つの周波数バンドの組み合わせの全てにおいてギャップ無しで異周波測定が可能であると示す場合に、ＣＡ制御部２３は、かかる３つ以上の周波数バンドを用いて行われるＣＡにおいて移動局ＵＥがギャップ無しで異周波測定を行うことができると判断するように構成されていることを要旨とする。
【００５２】
かかる特徴によれば、３つ以上の周波数バンドを用いて行われるＣＡにおいて、無線基地局ｅＮＢは、既存のシグナリングを活用して、移動局ＵＥがギャップ無しで異周波測定を行うことができるか否かについて適切に判断することができる。
【００５３】
本実施形態の第２の特徴は、無線基地局ｅＮＢであって、移動局ＵＥのＣＡに係る制御を行うように構成されているキャリアアグリゲーション制御部２３と、移動局ＵＥから、「ＵＥ  Ｃａｐａｂｉｌｉｔｙ」として、「ＣＡ  ｂａｎｄ  ｃｏｍｂｉｎａｔｉｏｎ」ごとにギャップ無しで異周波測定が可能であるか否かについて示す情報要素「ＩｎｔｅｒＦｒｅｑＢａｎｄＩｎｆｏ（ｉｎｔｅｒＦｒｅｑＮｅｅｄＦｏｒＧａｐｓ）」を受信するように構成されている受信部２１とを具備しており、情報要素「ＩｎｔｅｒＦｒｅｑＢａｎｄＩｎｆｏ（ｉｎｔｅｒＦｒｅｑＮｅｅｄＦｏｒＧａｐｓ）」が、３つ以上の周波数バンドのうちのＰＣＣが含まれる周波数バンド及びＳＣＣが含まれる周波数バンドの組み合わせの全てにおいてギャップ無しで異周波測定が可能であると示す場合に、ＣＡ制御部２３は、かかる３つ以上の周波数バンドを用いて行われるＣＡにおいて移動局ＵＥがギャップ無しで異周波測定を行うことができると判断するように構成されていることを要旨とする。
【００５４】
かかる特徴によれば、３つ以上の周波数バンドを用いて行われるＣＡにおいて、無線基地局ｅＮＢは、既存のシグナリングを活用して、かつ、ＣＡの特性を考慮して、移動局ＵＥがギャップ無しで異周波測定を行うことができるか否かについて適切に判断することができる。
【００５５】
（変更例１）
上述の第１及び第２の実施形態に係る移動通信システムでは、現在のＬＴＥ方式の規定に従って、２つの周波数バンド内のＣＣを用いたＣＡが行われることを想定して、移動局ＵＥが、「ＣＡ  ｂａｎｄ  ｃｏｍｂｉｎａｔｉｏｎ」によって、２つの周波数バンドの組み合わせごとに、ギャップ無しで異周波測定が可能な周波数バンドを通知するように構成されていることを前提としているが、本変更例１では、将来のＬＴＥ方式において、２つ以上の周波数バンド内のＣＣを用いたＣＡが行われることを想定して、移動局ＵＥが、「ＣＡ  ｂａｎｄ  ｃｏｍｂｉｎａｔｉｏｎ」によって、２つ以上の周波数バンドの組み合わせごとに、ギャップ無しで異周波測定が可能な周波数バンドを通知するように構成されていてもよい。
【００５６】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００５９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６０】
ｅＮＢ…無線基地局
ＵＥ…移動局
１１、２２…送信部
１２、２１…受信部
１３、２３…ＣＡ制御部
【図１】
2015029189.tif 000003
【図２】
2015029189.tif 000004
【図３】
2015029189.tif 000005
【図４】
2015029189.tif 000006
【図５】
2015029189.tif 000007
【図６】
2015029189.tif 000008
【図７】
2015029189.tif 000009
【図８】
2015029189.tif 000010